【手続補正書】
【提出日】平成16年10月21日(2004.10.21)
【手続補正１】
【補正対象書類名】明細書
【補正対象項目名】特許請求の範囲
【補正方法】変更
【補正の内容】
【特許請求の範囲】
【請求項１】
複数の計算機とネットワークを介して管理する管理計算機であって、
前記ネットワークに接続されるネットワークインタフェースと、
前記ネットワークインタフェースに接続される制御部とを備え、
前記制御部は、
複数の計算機で実行される処理それぞれの設定を含む運用定義と前記運用定義の識別情報とを、前記ネットワークを介して前記複数の計算機に送信し、
前記ネットワークを介して前記複数の計算機各々から、前記識別情報を含む当該計算機で実行された処理の結果を示す情報を受信し、
前記処理の結果を示す情報を、当該情報に含まれる前記識別情報に対応する運用定義を実行する複数の計算機単位で、表示装置に出力することを特徴とする管理計算機。
【請求項２】
前記処理はそれぞれ、各計算機の電源投入後から電源切断前に実行される処理であることを特徴とする請求項１記載の管理計算機。
【請求項３】
前記制御部が出力する前記処理の結果を示す情報は、あらかじめ指定された処理の結果であることを特徴とする請求項１記載の管理計算機。
【請求項４】
前記制御部は、あらかじめ指定された文字列が含まれている前記処理の結果を示す情報を出力することを特徴とする請求項１記載の管理計算機。
【請求項５】
前記運用定義は、前記運用定義に設定されている処理を実行する複数の計算機の指定をも含むことを特徴とする請求項１記載の管理計算機。
【請求項６】
前記運用定義は、複数の処理を行う順序をさらに定義されていることを特徴とする請求項１記載の管理計算機。
【請求項７】
複数の計算機とネットワークを介して接続される管理計算機であって、
前記ネットワークに接続されるネットワーク制御装置と、
前記ネットワーク制御装置に接続される制御部と、前記制御部に接続される表示部と記憶部とを備え、
前記制御部は、
複数の計算機から構成されるグループと、計算機で実行される処理それぞれの詳細設定と前記処理各々を実行する計算機の指定とが定義されている運用定義情報を前記ネットワークを介して複数の計算機に配布し、
前記ネットワークを介して前記複数の計算機各々から、前記運用定義情報に基づいて当該計算機で実行された処理の結果を示す情報を収集し、
前記処理の結果を示す情報を、前記運用定義情報で指定されている複数の計算機から構成されるグループ単位で、表示部に出力し、
前記運用定義情報と前記処理の結果を示す情報とを対応付けて前記記憶部に記憶することを特徴とする管理計算機。
【請求項８】
複数の計算機と、
前記複数の計算機で実行される処理を管理する管理計算機とがネットワークを介して構成される計算機システムであって、
前記管理計算機は、前記ネットワークに接続されるネットワークインタフェースと
前記ネットワークインタフェースに接続される制御部とを備え、
前記制御部は、
複数の計算機で実行される処理それぞれの設定を含む運用定義と前記運用定義の識別情報とを、前記ネットワークインタフェースを介して前記計算機に送り、
前記ネットワークを介して前記複数の計算機各々から、前記識別情報を含む当該計算機で実行された処理の結果を示す情報をネットワークインタフェースを介して受け、
前記処理の結果を示す情報を、当該情報に含まれる前記識別情報に対応する運用定義を実行する複数の計算機単位で、表示装置に出力し、
前記計算機それぞれは、前記運用定義を受信し、前記運用定義に基づいて実行された処理の結果を示す情報を前記管理計算機に送信することを特徴とする計算機システム。
【請求項９】
複数の計算機とネットワークを介して接続される管理計算機が前記計算機で実行される処理を管理する管理方法であって、
複数の計算機で実行される処理それぞれの設定を含む運用定義と前記運用定義の識別情報とを、前記ネットワークインタフェースを介して前記計算機に送り、
前記ネットワークを介して前記複数の計算機各々から、前記識別情報を含む当該計算機で実行された処理の結果を示す情報をネットワークインタフェースを介して受け、
前記処理の結果を示す情報を、当該情報に含まれる前記識別情報に対応する運用定義を実行する複数の計算機単位で、表示装置に出力することを特徴とする管理方法。
【請求項１０】
複数の計算機とネットワークを介して管理する管理計算機であって、
前記ネットワークに接続されるネットワークインタフェースと、
前記ネットワークインタフェースに接続される制御部とを備え、
前記制御部は、
前記複数の計算機いずれか一つで実行される複数の処理の設定を含む運用定義と前記運用定義の識別情報とを、前記ネットワークを介して前記計算機に送信し、
前記ネットワークを介して前記複数の計算機各々から、前記識別情報を含む当該計算機で実行された処理の結果を示す情報を受信し、
前記処理の結果を示す情報を、当該情報に含まれる前記識別情報に対応する運用定義を実行する一つの計算機単位で、表示装置に出力することを特徴とする管理計算機。
【請求項１１】
前記処理はそれぞれ、前記計算機の電源投入後から電源切断前に実行される処理であることを特徴とする請求項１０記載の管理計算機。
【請求項１２】
前記制御部が出力する前記処理の結果を示す情報は、あらかじめ指定された処理の結果であることを特徴とする請求項１０記載の管理計算機。
【請求項１３】
前記制御部は、あらかじめ指定された文字列が含まれている前記処理の結果を示す情報を出力することを特徴とする請求項１０記載の管理計算機。
【請求項１４】
前記運用定義は、前記運用定義に設定されている処理を実行する一つの計算機の指定をも含むことを特徴とする請求項１０記載の管理計算機。
【請求項１５】
前記運用定義は、複数の処理を行う順序をさらに定義されていることを特徴とする請求項１０記載の管理計算機。
【請求項１６】
複数の計算機と、
いずれか一つの計算機ごとに実行される複数の処理を管理する管理計算機とがネットワークを介して構成される計算機システムであって、
前記管理計算機は、前記ネットワークに接続されるネットワークインタフェースと
前記ネットワークインタフェースに接続される制御部とを備え、
前記制御部は、
前記複数の計算機いずれか一つで実行される複数の処理の設定を含む運用定義と前記運用定義の識別情報とを、前記ネットワークを介して前記計算機に送信し、
前記ネットワークを介して前記複数の計算機各々から、前記識別情報を含む当該計算機で実行された処理の結果を示す情報を受信し、
前記処理の結果を示す情報を、当該情報に含まれる前記識別情報に対応する運用定義を実行する一つの計算機単位で、表示装置に出力し、
前記計算機は、前記運用定義を受信し、前記運用定義に基づいて実行された複数の処理の結果を示す情報を前記管理計算機に送信することを特徴とする計算機システム。
【請求項１７】
複数の計算機とネットワークを介して接続される管理計算機が前記計算機ごとに実行される複数の処理を管理する管理方法であって、
計算機いずれか一つで実行される処理それぞれの設定を含む運用定義と前記運用定義の識別情報とを、前記ネットワークインタフェースを介して前記計算機に送り、
前記ネットワークを介して前記複数の計算機各々から、前記識別情報を含む当該計算機で実行された処理の結果を示す情報をネットワークインタフェースを介して受け、
前記処理の結果を示す情報を、当該情報に含まれる前記識別情報に対応する運用定義を実行する一の計算機単位で、表示装置に出力することを特徴とする管理方法。
【請求項１８】
ネットワークに接続された複数の計算機を管理する管理計算機であって、
複数の計算機で実行される処理と前記処理それぞれを実行する計算機の指定とから構成される運用定義を前記ネットワークを介して前記計算機に送信する送信手段と、
前記ネットワークを介して前記複数の計算機各々から、当該計算機で実行された処理の結果を示す情報を受信する受信手段と、
前記処理の結果を示す情報を、当該情報に含まれる前記識別情報に対応する運用定義を実行する複数の計算機単位で、表示装置に出力する表示制御手段と、を有することを特徴とする管理計算機。
【請求項１９】
ネットワークに接続された複数の計算機を管理する管理計算機であって、
一つの計算機で実行される複数の処理の設定と前記複数の処理を実行する計算機の指定とが定義されている運用定義を前記ネットワークを介して前記計算機に送信する送信手段と、
前記ネットワークを介して前記計算機から、前記識別情報を含む当該計算機で実行された処理の結果を示す情報を受信する受信手段と、
前記処理の結果を示す情報を、当該情報に含まれる前記識別情報に対応する運用定義を実行する前記指定した計算機単位で表示装置に出力する表示制御手段と、を有することを特徴とする管理計算機。
【請求項２０】
複数の計算機と、前記計算機とネットワークを介して接続される管理計算機であって、
各計算機が実行する処理が定義された運用定義をネットワークを介して送信する送信手段と、前記計算機各々が前記運用定義に基づいて実行された処理の結果を示す情報を前記計算機各々から受信する受信手段と、前記処理の結果を示す情報を表示する記憶手段とを有することを特徴とする管理計算機。